(57)【要約】      （修正有）【課題】化粧をきれいに行うことが困難な困難領域についても、きれいに化粧を行うことができる化粧用パフを提供する。【解決手段】化粧用パフ１は、平面視で卵型形状に形成され、その卵型形状は、鈍端部と尖端部を有し、平面視と直交する方向から見た化粧用パフの端部は曲面となっている。【選択図】図４
0003220622.tif 000002
【実用新案登録請求の範囲】
【請求項１】
化粧用パフであって、
平面視で卵型形状に形成され、
前記卵型形状は、鈍端部と尖端部を有し、
前記平面視と直交する方向から見た前記化粧用パフの端部は曲面となっている、
化粧用パフである。
【請求項２】
前記卵型形状の短軸の長さ（Ｄ１）の長軸の長さ（Ｌ１）に対する比率α１（Ｄ１／Ｌ１）は０．７０以上０．８５以下であり、
前記短軸の位置は前記長軸の長さの半分（Ｌ２）に対応する中間位置から前記鈍端側に寄っており、当該寄った長さ（Ｌ３）の前記長軸の長さ（Ｌ１）に対する比率α２（Ｌ３／Ｌ１）が０．０７以上０．０９以下であり、
前記化粧用パフの厚さ（ｈ１）の前記長軸の長さ（Ｌ１）に対する比率α３（ｈ１／Ｌ１）が０．０８以上０．１６以下であり、
前記化粧用パフの厚さ（ｈ１）の前記短軸の長さ（Ｄ１）に対する比率α４（ｈ１／Ｄ１）が０．１０以上０．２０以下である、
請求項１に記載の化粧用パフ。
【請求項３】
前記卵型形状の前記尖端部近傍の領域を第一領域、前記短軸から前記卵型形状の前記鈍端部までの領域を第三領域、前記第一領域と前記第三の領域の間の領域を第二領域とするとき、
前記第二領域の外周の曲率半径Ｒ２に対する前記第一領域の外周の曲率半径Ｒ１の比率β１（Ｒ１／Ｒ２）が０．１５以上０．２５以下であり、
前記第三領域の外周の曲率半径Ｒ３に対する前記第一領域の外周の曲率半径Ｒ１の比率β２（Ｒ１／Ｒ３）が０．３５以上０．４５以下である、
請求項１または請求項２に記載の化粧用パフ。
【請求項４】
前記化粧用パフの前記平面視と直行する方向における形状は、両端部が丸みを帯びた略長方形であって、使用者が化粧中に接する面の端部は曲面であり、前記曲面の曲率半径（Ｒ４）の前記第一領域の曲率半径Ｒ１に対する比率γ１（Ｒ４／Ｒ１）は０．９０以上１．１０以下である、請求項１乃至３のいずれかに記載の化粧用パフ。
【考案の詳細な説明】
【技術分野】
【０００１】
本発明は化粧用パフに関する。
【背景技術】
【０００２】
化粧用パフとして、使用者が効果的かつ快適に、ファンデーション等の化粧料を塗布できることが重要である。【０００３】
例えば特許文献１において、パフの芯材としてのスポンジについて、新規な構成が提案されている。
【先行技術文献】
【特許文献】
【０００４】
【特許文献１】特許第４７８０５９７号号
【考案の概要】
【考案が解決しようとする課題】
【０００５】
従来のパフの一例として、図８にパフ２００を示す。パフ２００は、略円形のパフ本体と、パフ本体を保持するための帯（リボン）から構成される。パフ２００でファンデーションを塗布する場合、例えば、まず、パフの帯に、利き手の人さし指と中指、または人さし指、中指、薬指を入れ、親指と小指でパフの両脇を支えるように持つ。続いて、パフ２００にファンデーションを付着させる。片側の頬からファンデーションをつけ始め、頬の内側から外側に向かって、ファンデーションを伸ばしていく。目の下から耳の上、次に、小鼻から耳の中央、あごから耳の下と、パフ２００を滑らせるようにファンデーションをつけてく。そして、パフ２００に残存するファンデーションを伸ばして額につける。続いて、パフ２００の帯側を二つに折るようにして、パフ２００の折り目を使い、小鼻、目のまわりなど、細かい部分を仕上げる。仕上げはパフ２００を広げて、ファンデーションをつけずに、顔全体をパフで、なでるようにして、ムラなく仕上げる。このように、パフ２００を折り曲げる必要があるのは、顔の形状は全体にわたって一様というのではなく、凹凸があるからである。目や口の周囲、小鼻近傍などの部位（図７の領域Ｇ１〜Ｇ６）は、頬や額などの比較的広い面積の部位と比べて、化粧をきれいに行うことが困難な困難領域である。パフ２００の場合、このような困難領域に化粧をするときには、例えば、図９に示すように、人差指をパフ上面２００ａと帯の間に差し入れ、親指と中指をパフ下面２００ｂに当接させた状態で両端部を矢印Ｚ１方向に持ち上げて、パフ本体を折り曲げることによって、パフ本体の底面をできるだけ小さくしているのである。ところが、パフ本体は相当の厚さがあるうえに、折り曲げるのに好適には構成されていないから、使用者の意思通りに折り曲げるのは容易ではなく、折り曲げたとしても、先端部分Ｃ１の形状は変わらないから、顔に接触する面積を小さくするにも限界がある。また、パフ本体を折り曲げるときに、化粧料が塗布される面であるパフ下面２００ｂに指を接触させる必要があるから、指に化粧料が付くという問題がある。【０００６】
本発明は、上記を踏まえて、化粧をきれいに行うことが困難な困難領域についても、きれいに化粧を行うことができる化粧用パフを提供するものである。
【課題を解決するための手段】
【０００７】
第一の発明は、化粧用パフであって、平面視で卵型形状に形成され、前記卵型形状は、鈍端部と尖端部を有し、前記平面視と直交する方向から見た前記化粧用パフの端部は曲面となっている、化粧用パフある。【０００８】
本発明の発明者は、困難領域においてきれいに化粧を行うためには、棒状の部材であって、尖端が球面であるものを使用するのが好ましいことを見出した。さらに、顔全体が化粧の困難な困難領域というわけではなく、比較的広い面積で化粧が容易な容易領域もあり、その中間の中間領域もあることに着目し、起伏に富む顔の形状に適する化粧用パフの構造を研究した。第一の発明の構成によれば、平面視が卵型形状であり、平面視と直交する方向から見た化粧用パフの端部は曲面であるから、尖端部はどの方向から見ても曲面であり、略球状（正確には、球の一部の形状）に構成される。すなわち、第一の発明の構成の化粧用パフの尖端部は、尖端が球面の棒状の部材と技術的に同意義（等価）である。さらに、尖端部は、化粧用パフの他の部分から突出しているのではなく、卵型形状の尖端である。すなわち、尖端部よりも大きい曲率半径を有する曲線状の外周が、尖端部に滑らかに連続する構造になっている。このため、第一の発明の化粧用パフによれば、困難領域、中間領域及び容易領域を円滑に移動して、化粧をすることができる。すなわち、使用者は、化粧が容易な容易領域や中間領域のみならず、尖端部の略球状の形状により、困難領域の化粧もきれいに行うことができる。【０００９】
第二の発明は、第一の発明の構成において、前記卵型形状の短軸の長さ（Ｄ１）の長軸の長さ（Ｌ１）に対する比率α１（Ｄ１／Ｌ１）は０．７０以上０．８５以下であり、前記短軸の位置は前記長軸の長さの半分（Ｌ２）に対応する中間位置から前記鈍端側に寄っており、当該寄った長さ（Ｌ３）の前記長軸の長さ（Ｌ１）に対する比率α２（Ｌ３／Ｌ１）が０．０７以上０．０９以下であり、前記化粧用パフの厚さ（ｈ１）の前記長軸の長さ（Ｌ１）に対する比率α３（ｈ１／Ｌ１）が０．０８以上０．１６以下であり、前記化粧用パフの厚さ（ｈ１）の前記短軸の長さ（Ｄ１）に対する比率α４（ｈ１／Ｄ１）が０．１０以上０．２０以下である、化粧用パフである。【００１０】
第二の発明の構成によれば、短軸が鈍端側に寄っており、卵型形状において、尖端側がより鋭角的で、鈍端側がより鈍角的に形成されている。また、化粧用パフの厚さが長軸及び短軸との関係で、薄く形成されている。これにより、尖端部の球状の形状を小さくすることができるから、困難領域の化粧を一層きれいに行うことができる。【００１１】
第三の発明は第一の発明または第二の発明のいずれかの構成において、
前記卵型形状の前記尖端部近傍の領域を第一領域、前記短軸から前記卵型形状の前記鈍端部までの領域を第三領域、前記第一領域と前記第三の領域の間の領域を第二領域とするとき、
前記第二領域の外周の曲率半径Ｒ２に対する前記第一領域の外周の曲率半径Ｒ１の比率β１（Ｒ１／Ｒ２）が０．１５以上０．２５以下であり、
前記第三領域の外周の曲率半径Ｒ３に対する前記第一領域の外周の曲率半径Ｒ１の比率β２（Ｒ１／Ｒ３）が０．３５以上０．４５以下である、化粧用パフである。【００１２】
本発明の発明者は、困難領域の化粧をきれいに行うことができ、かつ、中間領域や容易領域の化粧を効率的に行うことができ、しかも、手に保持して行う操作が容易な各部の曲率半径の関係を研究し、施行錯誤の結果、第三の発明の構成によれば、これらの技術的な課題に対応することができることを見出した。【００１３】
第四の発明は、第一の発明乃至第三の発明のいずれかの構成において、
前記化粧用パフの前記平面視と直行する方向における形状は、両端部が丸みを帯びた略長方形であって、使用者が化粧中に接する面の端部は曲面であり、前記曲面の曲率半径（Ｒ４）の前記第一領域の曲率半径Ｒ１に対する比率γ１（Ｒ４／Ｒ１）は０．９０以上１．１０以下である、化粧用パフである。【００１４】
第四の発明の構成によれば、卵型形状の尖端部近傍の曲率半径は、どの方向から見てもほぼ等しいから、尖端側はきれいな球状になる。この形状により、困難領域の化粧をきれいに行うことができる。
【考案の効果】
【００１５】
本発明にかかる化粧用パフによれば、化粧をきれいに行うことが困難な困難領域についても、きれいに化粧を行うことができる。
【図面の簡単な説明】
【００１６】
【図１】本発明の一実施形態にかかる化粧用パフの概略斜視図である。
【図２】化粧用パフの概略平面図である。
【図３】化粧用パフの概略底面図である。
【図４】化粧用パフの概略底面図である。
【図５】化粧用パフの概略正面図である。
【図６】化粧用パフの概略側面図である。
【図７】顔を示す概略図である。
【図８】従来例を示す概略図である。
【図９】従来例の使用方法の一例を示す概略図である。
【考案を実施するための形態】
【００１７】
以下、図面に基づき本発明の好適な実施形態を説明する。なお、当業者が適宜実施できる構成については説明を省略し、本発明の基本的な構成についてのみ説明する。
【００１８】
図１に示すように、化粧用パフ１は、パフの本体である本体１０と、本体１０の略上半分を覆う薄手のカバー３０と、保持部である帯（リボン）５０を有する。本体１０は、多数の微細気孔を有するスポンジである。本体１０の材質は、例えば、ラテックスフォーム、湿式ウレタンフォーム、シリコーンゴム、ニトリルブタジエンゴムである。化粧用パフ１は、図２乃至図４に示すように、平面視で卵型形状である。また、図５及び図６に示すように、化粧用パフ１を平面視と直交する方向から視た形状は、両端が所定の丸みを有する略長方形状である。このように、化粧用パフ１の尖端部近傍の領域Ａ１（図４参照）の外周は、平面視においても、平面視と直交する方向においても曲線状であるから、球状（正確には、球の一部の形状）である。これは、領域Ａ１は、尖端が球面の棒状の部材と等価であることを意味する。そして、領域Ａ１は、化粧用パフ１の他の部分から突出しているのではなく、卵型形状の尖端である。すなわち、領域Ａ１よりも大きい曲率半径の外周を有する領域Ａ２の曲線状の外周が、領域Ａ１の外周に滑らかに連続する構造になっている。このため、化粧用パフ１によれば、困難領域、中間領域及び容易領域を円滑に移動して、化粧をすることができる。すなわち、使用者は、化粧が容易な容易領域や中間領域のみならず、領域Ａ１の略球状の形状により、困難領域の化粧もきれいに行うことができる。
【００１９】
化粧用パフ１を平面視したときの形状を規定する要素として、図４に示す卵型形状の長軸の長さＬ１及び短軸の長さＤ１、及び短軸の位置がある。図４に示すように、化粧用パフ１の卵型形状の長軸の長さをＬ１とすると、長さＬ１の半分の長さＬ２に対応する部分（補助線Ｘ１で示す部分）が短軸（最大の幅を有する位置）に対応しているのではなく、わずかに（長さＬ３で示す分だけ）鈍端側寄りの部分が短軸（補助線Ｘ２で示す部分）であり、長さＤ１を有する。なお、補助線Ｙ１は、化粧用パフ１の卵型形状の中心線を示す。短軸の長さＤ１の長軸の長さＬ１に対する比率α１（Ｄ１／Ｌ１）は０．７０以上０．８５以下であり、望ましくは、０．７３以上０．８０以下である。短軸が鈍端側に寄った長さＬ３の長軸の長さＬ１に対する比率α２（Ｌ３／Ｌ１）は０．０７以上０．０９以下である。本実施形態において、Ｌ１は６３ｍｍ（ミリメートル）、Ｄ１は４８ｍｍであり、α１は０．７６である。Ｌ３は５ｍｍであり、α２は０．０８である。
【００２０】
化粧用パフの厚さｈ１（図５参照）の長軸の長さＬ１に対する比率α３（ｈ１／Ｌ１）は０．０８以上０．１６以下であり、化粧用パフの厚さｈ１の短軸の長さＤ１に対する比率α４（ｈ１／Ｄ１）は０．１０以上０．２０以下である。本実施形態において、ｈ１は７ｍｍである。α３は０．１１、α４は０．１５である。
【００２１】
化粧用パフ１の卵型形状の説明の便宜のため、卵型形状をいくつかの領域に分けて説明する。先端部近傍の領域を第一領域である領域Ａ１（図４参照）とし、短軸から鈍端部までの領域を第三領域である領域Ａ３、領域Ａ１と領域Ａ３の間の領域を第二領域である領域Ａ２とする。領域Ａ２の外周の曲率半径Ｒ２に対する領域Ａ１の外周の曲率半径Ｒ１の比率β１（Ｒ１／Ｒ２）は０．１５以上０．２５以下であり、領域Ａ３の外周の曲率半径Ｒ３に対する領域Ａ１の外周の曲率半径Ｒ１の比率β２（Ｒ１／Ｒ３）は０．３５以上０．４５以下である。本実施形態において、Ｒ１は１０ｍｍ、Ｒ２は４５ｍｍ、Ｒ３は２５ｍｍである。そして、β１は０．２２、β２は０．４０である。
【００２２】
図５に示すように、帯５０とカバー３０との間には空間Ｋ１があり、使用者は、指を空間Ｋ１に差し入れて、化粧用パフ１を保持することができる。図５及び図６に示すように、平面視と直行する方向における形状は、略長方形であって、化粧中に使用者の顔面に接する面の端部は曲面（図６のＢ１参照）である。そして、尖端側の曲面（図６のＢ１）の曲率半径（Ｒ４）の領域Ａ１の曲率半径Ｒ１に対する比率γ１（Ｒ４／Ｒ１）は０．９０以上１．１０以下である。本実施形態において、Ｒ４は１０ｍｍであり、Ｒ１も１０ｍｍであるから、γ１は１である。すなわち、使用者の顔面に接する部分は球状である（より正確には、球の一部の形状である。）。この球状の形状を使用して、図７に示す困難領域Ｇ１〜Ｇ６において、きれいに化粧を実施することができる。
【００２３】
すなわち、図７の領域Ｇ１〜Ｇ６のような面積の小さい部分についても、化粧用パフ１を折り曲げる等の変形をすることなく、きれいに化粧を実施することができる。
【００２４】
なお、本発明の化粧品容器は、上記実施形態に限らず、本発明の要旨を逸脱しない範囲内において種々変更を加えることができる。
【符号の説明】
【００２５】
１    化粧用パフ
１０  本体
３０  カバー
５０  帯
【図１】
0003220622.tif 000003
【図２】
0003220622.tif 000004
【図３】
0003220622.tif 000005
【図４】
0003220622.tif 000006
【図５】
0003220622.tif 000007
【図６】
0003220622.tif 000008
【図７】
0003220622.tif 000009
【図８】
0003220622.tif 000010
【図９】
0003220622.tif 000011